(57)【要約】【課題】  幼児用衣服や幼児用エプロンの襟首の前方中央部と幼児の胸との間の隙間を埋めることができる襟首パッドを提供する。【解決手段】  幼児用衣服またはエプロンの襟首に取り付けられる襟首パッド２０は、Ｕ字形状の表面パッド２１と、この表面パッド２１の裏に重ね合わされるＵ字形状の裏面パッド２２と、重ね合わせた表面パッド２１および裏面パッド２２の襟首側の内側縁２３を接合する内縁接合部２４とを備える。【選択図】      図９
0003105117.tif 000002
【実用新案登録請求の範囲】
【請求項１】
幼児用衣服またはエプロンの襟首に取り付けられる襟首パッドであって、
Ｕ字形状の表面パッドと、
前記表面パッドの裏に重ね合わされるＵ字形状の裏面パッドと、
重ね合わせた前記表面パッドおよび裏面パッドの襟首側の内側縁を接合する内縁接合部とを備える、襟首パッド。
【請求項２】
前記表面パッドおよび裏面パッドは、表面側に向かって凸状に湾曲した形状を有している、請求項１に記載の襟首パッド。
【請求項３】
襟首を有するエプロン本体と、
前記エプロン本体の襟首に着脱可能に取り付けられる襟首パッドとを備え、
前記襟首パッドは、Ｕ字形状の表面パッドと、前記表面パッドの裏に重ね合わされるＵ字形状の裏面パッドと、重ね合わせた前記表面パッドおよび裏面パッドの襟首側の内側縁を接合する内縁接合部とを含み、
前記襟首パッドは、前記エプロン本体の襟首を、弾力性を持って表面パッドおよび裏面パッドによって挟むことによって、任意の位置に保持される、幼児用エプロン。
【考案の詳細な説明】
【技術分野】
【０００１】
この考案は、幼児用衣服や幼児用エプロンの襟首に装着される襟首パッドに関するものである。
【背景技術】
【０００２】
幼児用エプロンは、通常、エプロンの下の服を汚さないようにするために、幼児の首に近接する襟首を有している。また、この幼児用エプロンは、防水性や拭き易さ等を考慮して、プラスチック製素材で作られることが多い。
【考案の開示】
【考案が解決しようとする課題】
【０００３】
比較的硬い素材の幼児用エプロンの場合、エプロンの襟首の特に前方中央部と幼児の胸との間に隙間ができ、この隙間部分に食べ物が入り込むことがある。特に幼児の身体が小さいときには、上記の隙間が大きくなる。エプロンの襟首と幼児の首とを隙間無く密接させることが考えられるが、硬いプラスチック製素材は柔らかい幼児の肌に優しくない。
【０００４】
上記の問題は、幼児用エプロンに限らず、幼児用衣服の場合でも起こり得る。すなわち、幼児用衣服の襟首の前方中央部と幼児の胸との間に隙間ができると、この隙間部分に食べ物等が入り込む。
【０００５】
この考案の目的は、幼児用衣服や幼児用エプロンの襟首の前方中央部と幼児の胸との間の隙間を埋めることができる襟首パッドを提供することである。
【０００６】
この考案の他の目的は、エプロン本体の襟首の前方中央部と幼児の胸との間に隙間を生じさせない幼児用エプロンを提供することである。
【課題を解決するための手段】
【０００７】
この考案に従った襟首パッドは、幼児用衣服またはエプロンの襟首に取り付けられるものであって、Ｕ字形状の表面パッドと、この表面パッドの裏に重ね合わされるＵ字形状の裏面パッドと、重ね合わせた表面パッドおよび裏面パッドの襟首側の内側縁を接合する内縁接合部とを備える。
【０００８】
上記構成の襟首パッドによれば、表面パッドおよび裏面パッドがある程度の厚みを有しているので、衣服またはエプロンの襟首と幼児の胸との間の隙間を埋めることができる。また、襟首パッドを布製素材で作れば、幼児の肌に優しくなる。さらに、表面パッドおよび裏面パッドが襟首側の内側縁で接合されているだけなので、襟首パッドを衣服またはエプロンの襟首の内側から簡単に装着でき、また簡単に取り外すことができる。
【０００９】
好ましくは、表面パッドおよび裏面パッドは、表面側に向かって凸状に湾曲した形状を有している。表面側パッドと裏面側パッドとが共に凸状に湾曲した形状を有することにより、両パッドによる挟持力が高まるので、襟首パッドを衣服またはエプロンの襟首上の任意の位置で保持することが可能になる。なお、表面パッドおよび裏面パッドが平らな形態のものであったとしても、通常は衣服またはエプロンの襟首が幼児の首の回りで凸状に湾曲して延在するので、使用状態においては表面パッドおよび裏面パッドが共に凸状に湾曲した形態を呈する。
【００１０】
この考案に従った幼児用エプロンは、襟首を有するエプロン本体と、このエプロン本体の襟首に着脱可能に取り付けられる襟首パッドとを備える。襟首パッドは、Ｕ字形状の表面パッドと、この表面パッドの裏に重ね合わされるＵ字形状の裏面パッドと、重ね合わせた表面パッドおよび裏面パッドの襟首側の内側縁を接合する内縁接合部とを含む。襟首パッドは、エプロン本体の襟首を、弾力性を持って表面パッドおよび裏面パッドによって挟み込むことによって、任意の位置に保持される。
【考案を実施するための最良の形態】
【００１１】
図１はこの考案に従った幼児用エプロンの正面図であり、図２はその背面図である。幼児用エプロンは、襟首１３を有するエプロン本体１０と、エプロン本体１０の襟首１３に着脱可能に取り付けられる襟首パッド２０とを備える。
【００１２】
先ず、図４〜図６を参照して、エプロン本体１０の具体的な形態を説明する。エプロン本体１０は、防水性や拭き易さ等を考慮して、プラスチック製素材から作られており、幼児の首の回りに巻き付けられる１対の湾曲細帯１１，１２と、下方端部分に形成された食べ物受け１４とを含む。湾曲細帯１１，１２の内側縁がエプロン本体１０の襟首１３を形成する。エプロン本体１０の背面に、幼児の胴部に巻き付けられる身体取付帯１５が取り付けられている。
【００１３】
一方の湾曲細帯１１の先端部分に係合突起１６が設けられ、他方の湾曲細帯１２に係合突起１６に係合し得る複数の係合穴１７が設けられている。図示した実施形態では、４個の係合穴１７が湾曲細帯１２の長さ方向に沿って並んでいる。図６は、係合突起１６と一つの係合穴１７とが係合している状態を示している。幼児の首回りの大きさに合わせて、４個の係合穴１７の中から係合突起１６を嵌め入れるのに最適な係合穴を選択する。
【００１４】
次に図７〜図１１を参照して、襟首パッド２０について説明する。襟首パッド２０は、幼児の肌に優しく接するように好ましくは布製素材から作られており、Ｕ字形状の表面パッド２１と、この表面パッド２１の裏に重ね合わされるＵ字形状の裏面パッド２２と、重ね合わせた表面パッド２１および裏面パッド２２の襟首側の内側縁２３を接合する内縁接合部２４とを備える。
【００１５】
図１０に示すように、表面パッド２１および裏面パッド２２の外側縁は接合されていない。したがって、襟首パッド２０をエプロン本体１０の襟首１３の内側から簡単に装着でき、また簡単に取り外すことができる。図示した実施形態では、表面パッド２１と裏面パッド２２とは、ほぼ同じ大きさのＵ字形状を有しているので、表裏を逆にして使用してもよい。
【００１６】
表面パッド２１および裏面パッド２２は、好ましくは、ある程度の厚みを持ち、かつ弾力性を有するクッション部材から作られている。図９および図１１に示すように、図示した実施形態では、表面パッド２１および裏面パッド２２は、表面側に向かって凸状に湾曲した形状を有している。表面側パッド２１および裏面側パッド２２が共に凸状に湾曲した形状を有することにより、両パッド２１，２２による挟持力が高まるので、襟首パッド２０をエプロン本体１０の襟首１３上の任意の位置で保持することが可能になる。
【００１７】
図２に示す状態では、襟首パッド２０が相対的に下方の位置にもたらされており、襟首パッド２０の内側縁２３がエプロン本体１０の襟首１３に近接している。幼児の首回りの寸法が大きい場合には、襟首パッド２０を相対的に下方の位置にもたらす。
【００１８】
一方、図３に示す状態では、襟首パッド２０が相対的に上方の位置にもたらされており、襟首パッド２０の内側縁２３がエプロン本体１０の襟首１３から内側に離れている。幼児の首回りの寸法が小さい場合には、襟首パッド２０を相対的に上方の位置にもたらす。
【００１９】
なお、表面パッドおよび裏面パッドが平らな形態のものであったとしても、通常は、エプロン本体１０の襟首１３が幼児の首回りで凸状に湾曲して延在するので、使用状態においては表面パッドおよび裏面パッドが共に凸状に湾曲した形態を呈する。
【００２０】
図２または図３に示すように、エプロン本体１０に襟首パッド２０を装着すると、表面パッド２１および裏面パッド２２がある程度の厚みを有してエプロン本体の１０の襟首１３に沿って延在するので、襟首パッド２０と幼児の胸との間が密接し、両者の間に隙間が生じにくい。したがって、幼児の口のあたりからこぼれた食べ物は、確実にエプロン本体１０の食べ物受け１４の中に入る。
【００２１】
この考案の実施形態として、幼児用エプロンの襟首に取り付けられる襟首パッドを説明したが、幼児用衣服の襟首に上述の襟首パッドを取り付けるようにしてもよい。
【００２２】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００２３】
この考案は、幼児用衣服や幼児用エプロンに有利に利用され得る。
【図面の簡単な説明】
【００２４】
【図１】この考案の一実施形態である幼児用エプロンの正面図である。
【図２】図１に示した幼児用エプロンの背面図である。
【図３】襟首パッドを上方の位置にもたらした状態の幼児用エプロンを示す正面図である。
【図４】エプロン本体の正面図である。
【図５】エプロン本体の背面図である。
【図６】１対の湾曲細帯を連結した状態のエプロン本体の正面図である。
【図７】襟首パッドの正面図である。
【図８】襟首パッドの背面図である。
【図９】襟首パッドの斜視図である。
【図１０】表面パッドの外側縁と裏面パッドの外側縁とを離した状態の斜視図である。
【図１１】図７の線Ａ−Ａに沿って見た端面図である。
【符号の説明】
【００２５】
１０  エプロン本体、１１，１２  湾曲細帯、１３  襟首、１４  食べ物受け、１５  身体取付帯、１６  係合突起、１７  係合穴、２０  襟首パッド、２１  表面パッド、２２  裏面パッド、２３  内側縁、２４  内縁接合部。
【図１】
0003105117.tif 000003
【図２】
0003105117.tif 000004
【図３】
0003105117.tif 000005
【図４】
0003105117.tif 000006
【図５】
0003105117.tif 000007
【図６】
0003105117.tif 000008
【図７】
0003105117.tif 000009
【図８】
0003105117.tif 000010
【図９】
0003105117.tif 000011
【図１０】
0003105117.tif 000012
【図１１】
0003105117.tif 000013